(57)【要約】  空気調和機（１０）は、熱交換器（３１）と、送風ファン（３８）と、送風ファンを清掃するファン清掃装置（４０）と、を備えている。ファン清掃装置は、シャフト（４５）と、シャフトを軸周り方向に回転駆動するモータ（３４）と、シャフトに取り付けられた清掃部（ブラシ（４１））と、を有している。清掃部とシャフトとは別体である。
2019220487.tif 000002
【特許請求の範囲】
【請求項１】
熱交換器と、
送風ファンと、
前記送風ファンを清掃するファン清掃装置と、を備え、
前記ファン清掃装置は、
シャフトと、
前記シャフトを軸周り方向に回転駆動するモータと、
前記シャフトに取り付けられた清掃部と、を有し、
前記清掃部と前記シャフトとは別体である
ことを特徴とする空気調和機。
【請求項２】
請求項１に記載の空気調和機において、
前記清掃部は、前記送風ファンの長手方向に所定距離だけ移動自在に前記シャフトに取り付けられている
ことを特徴とする空気調和機。
【請求項３】
請求項１に記載の空気調和機において、
前記清掃部は、
繊維部と、
前記繊維部を保持する基部と、を有し、
前記基部の弾性力は、前記シャフトの弾性力よりも大きい
ことを特徴とする空気調和機。
【請求項４】
請求項１に記載の空気調和機において、
前記清掃部は、
繊維部と、
前記繊維部を保持する基部と、を有し、
前記基部の剛性は、前記シャフトの剛性よりも小さい
ことを特徴とする空気調和機。
【請求項５】
請求項１に記載の空気調和機において、
前記清掃部は、
繊維部と、
前記繊維部を保持する基部と、を有し、
前記ファン清掃装置は、前記清掃部の前記基部を保持する保持部を有し、
前記清掃部、前記シャフト及び前記保持部は別体であり、
前記清掃部は、前記保持部を介して前記シャフトに取り付けられている
ことを特徴とする空気調和機。
【請求項６】
請求項５に記載の空気調和機において、
前記基部の弾性力は、前記保持部の弾性力よりも大きい
ことを特徴とする空気調和機。
【請求項７】
請求項５に記載の空気調和機において、
前記基部の剛性は、前記保持部の剛性よりも小さい
ことを特徴とする空気調和機。
【請求項８】
請求項５に記載の空気調和機において、
前記保持部は、前記シャフトに取り付けられる際に前記シャフトと前記保持部との間で発生する摩擦力では変形しない剛性を有している
ことを特徴とする空気調和機。
【請求項９】
請求項１に記載の空気調和機において、
前記清掃部と前記シャフトとのいずれか一方は、他方を前記送風ファンの長手方向に摺動可能に収容する溝状の収容部を有する
ことを特徴とする空気調和機。
【請求項１０】
請求項５に記載の空気調和機において、
前記保持部と前記シャフトとのいずれか一方は、他方を前記送風ファンの長手方向に摺動可能に収容する溝状の収容部を有する
ことを特徴とする空気調和機。
【請求項１１】
請求項５に記載の空気調和機において、
前記清掃部と前記保持部とのいずれか一方は、他方を前記送風ファンの長手方向に摺動可能に収容する溝状の収容部を有する
ことを特徴とする空気調和機。
【請求項１２】
請求項１に記載の空気調和機において、
前記清掃部が取り付けられた前記シャフトの両端部は、封止部材で封止されている
ことを特徴とする空気調和機。
【請求項１３】
請求項１２に記載の空気調和機において、
前記シャフトの一方の端部に配置された前記封止部材は、前記モータ又は前記モータによって駆動される部材で構成されている
ことを特徴とする空気調和機。
【請求項１４】
請求項１に記載の空気調和機において、
前記清掃部は、一方の端部又は両端部に、前記送風ファンに当接させる繊維部が配置されていない非植毛領域を有する
ことを特徴とする空気調和機。
【請求項１５】
請求項１に記載の空気調和機において、
前記ファン清掃装置の前記清掃部は繊維部を有し、
前記繊維部のピッチは、前記熱交換器に設けられているフィンのピッチよりも小さい
ことを特徴とする空気調和機。
【請求項１６】
請求項１に記載の空気調和機において、
前記ファン清掃装置の前記清掃部は繊維部を有し、
前記繊維部の長さは、フィルタを清掃するフィルタ清掃装置に用いられている繊維部よりも長い
ことを特徴とする空気調和機。
【請求項１７】
請求項１に記載の空気調和機において、
前記シャフトは、複数の前記清掃部の取り付けが可能である
ことを特徴とする空気調和機。
【請求項１８】
請求項１に記載の空気調和機において、
前記清掃部は、前記清掃部を前記送風ファンの長手方向に摺動可能に保持する取付治具を介して前記シャフトに導かれて取り付けられる
ことを特徴とする空気調和機。
【発明の詳細な説明】
【技術分野】
【０００１】
本発明は、空気調和機に関する。
【背景技術】
【０００２】
一般に、内部に送風ファンを備える空気調和機は、使用時間が長くなるほど、塵埃が送風ファンに付着する。これにより、空気調和機は、風量が低下したり、消費電力が増加したりすることがあった。また、空気調和機は、塵埃の付着によりカビ等が発生することがあり、不衛生な場合があった。そこで、送風ファンに付着した塵埃を除去して送風ファンを清掃するファン清掃装置を備えた空気調和機が提供されている（例えば、特許文献１参照）。特許文献１に記載された空気調和機は、ファン清掃装置とファン清掃装置を制御する制御装置とを備え、調和空気を室内に吹出す通常運転モードと、ファンを低速で回転させるとともにファン清掃装置を可動するファン清掃運転モードを有している。ファン清掃装置は、ファン清掃運転モード時にファンに当接する清掃部を含み、通常運転モードにファンから清掃部を退避させる位置に可動する構成になっている。
【先行技術文献】
【特許文献】
【０００３】
【特許文献１】特許第４０４６７５５号公報
【発明の概要】
【発明が解決しようとする課題】
【０００４】
特許文献１は、送風ファンに付着した塵埃をファン清掃装置の清掃部で除去することについての記載されているものの、清掃部の交換に関しては記載されていない。一方、ファン清掃装置は、送風ファンに当接するブラシ等の清掃部を備えている。その清掃部は、累積清掃時間が長くなるほど、劣化したり、消耗したりするため、清掃効果低下する可能性がある。そのため、空気調和機は、ファン清掃装置の清掃部の交換を容易化することが望まれていた。【０００５】
本発明は、前記した課題を解決するためになされたものであり、清掃部の交換を容易に行うことが可能な空気調和機を提供することを主な目的とする。
【課題を解決するための手段】
【０００６】
前記目的を達成するため、本発明は、空気調和機であって、熱交換器と、送風ファンと、前記送風ファンを清掃するファン清掃装置と、を備え、前記ファン清掃装置は、シャフトと、前記シャフトを軸周り方向に回転駆動するモータと、前記シャフトに取り付けられた清掃部と、を有し、前記清掃部と前記シャフトとは別体である構成とする。
その他の手段は、後記する。
【発明の効果】
【０００７】
本発明によれば、ファン清掃装置の清掃部の交換を容易に行うことができる。
【図面の簡単な説明】
【０００８】
【図１】実施形態１に係る空気調和機の全体構成を示す概略図である。
【図２】実施形態１に係る空気調和機の室内機における送風ファン付近の構成を示す概略図である。
【図３】実施形態１で用いるファン清掃装置の清掃部の構成を示す斜視図（１）である。
【図４】実施形態１で用いるファン清掃装置の清掃部の構成を示す斜視図（２）である。
【図５】ファン清掃装置の清掃部の繊維部と熱交換器のフィンとの関係を示す図である。
【図６】ファン清掃装置の清掃部とフィルタ清掃装置の清掃部の対比図である。
【図７】実施形態１で用いるファン清掃装置のシャフトへの清掃部の取り付け例を示す斜視図である。
【図８】清掃部の取り付けに好適な取付治具の説明図（１）である。
【図９】清掃部の取り付けに好適な取付治具の説明図（２）である。
【図１０】実施形態２で用いるファン清掃装置の清掃部の構成を示す正面図（１）である。
【図１１】実施形態２で用いるファン清掃装置の清掃部の構成を示す正面図（２）である。
【図１２】実施形態２で用いるファン清掃装置における清掃部の両端部の構成を示す正面図である。
【図１３】第１変形例に係るファン清掃装置の清掃部の構成を示す斜視図である。
【図１４】第２変形例に係るファン清掃装置の保持部及びシャフトの構成を示す斜視図である。
【発明を実施するための形態】
【０００９】
以下、図面を参照して、本発明の実施の形態（以下、「本実施形態」と称する）について詳細に説明する。なお、各図は、本発明を十分に理解できる程度に、概略的に示してあるに過ぎない。よって、本発明は、図示例のみに限定されるものではない。また、各図において、共通する構成要素や同様な構成要素については、同一の符号を付し、それらの重複する説明を省略する。
【００１０】
［実施形態１］
本実施形態１は、清掃部だけの交換を可能にすることで、使用コストを抑制する空気調和機１０を提供することを意図している。また、本実施形態１は、将来、特殊な付加機能が与えられた清掃部等が開発された場合に、その清掃部等に容易に交換することができる空気調和機１０を提供することも意図している。
【００１１】
＜空気調和機の全体構成＞
以下、図１を参照して、本実施形態１に係る空気調和機１０の全体構成について説明する。図１は、本実施形態１に係る空気調和機１０の全体構成を示す概略図である。
【００１２】
図１に示すように、空気調和機１０は、室内に配置された室内機１１と、室外に配置された室外機１２と、を有している。
【００１３】
室内機１１は、室内空気を内部に吸い込み、吸い込んだ室内空気を熱交換器３１（図２参照）に通して、加熱、冷却、及び除湿のいずれか任意の処理が施された調和空気を得て、得られた調和空気を室内に吹き出すことにより、室内を空気調和する。室内機１１は、接続配管１３を介して室外機１２と接続されており、室外機１２との間で冷媒を循環させている。室外機１２は、循環される冷媒との間で熱交換を行う。
【００１４】
室内機１１は、筐体２１とその外装部材である化粧枠２２とで、送風ファン３８（図２参照）や熱交換器３１（図２参照）等の構造体を内包している。送風ファン３８は、空気吸込口２４側から空気吹出口２５側に空気を送る貫流ファンであり、熱交換器３１によって熱交換された空気を送風する。熱交換器３１は、冷媒との間で熱交換を行うユニットである。
【００１５】
図１に示す例では、化粧枠２２（外装部材）の前面の上側部分には、前面パネル２３が取り付けられている。前面パネル２３は、室内機１１の前面を覆う部材である。また、化粧枠２２の前面の下側部分には、上下風向板２６が取り付けられている。
【００１６】
上下風向板２６は、空気吹出口２５から吐き出される調和空気の上下方向の向きを規定する部材である。上下風向板２６は、上側部分が上下方向に開閉するように、下端付近で化粧枠２２（又は筐体２１）に軸支されているとともに、図示せぬ駆動部によって回動させられる構成になっている。室内機１１は、上下風向板２６を開くことにより、空気吹出口２５を形成する。
【００１７】
＜送風ファン付近の構成＞
以下、図２を参照して、空気調和機１０の室内機１１における送風ファン３８付近の構成について説明する。図２は、送風ファン３８付近の構成を示す概略図である。
【００１８】
図２に示すように、室内機１１の内部には、前記した送風ファン３８や前記した熱交換器３１等の構造体が配置されている。室内機１１は、使用し続けると、塵埃等が送風ファン３８に付着する。そこで、室内機１１は、送風ファン３８を清掃するためのファン清掃装置４０を有している。
【００１９】
＜ファン清掃装置の構成＞
以下、図３及び図４を参照して、ファン清掃装置４０のブラシ４１（清掃部）の構成について説明する。図３及び図４は、それぞれ、ブラシ４１の構成を示す斜視図である。図３は、ブラシ４１が摺動する構造になっていることを示している。図４は、ブラシ４１が曲げることが可能な構造になっていることを示している。
【００２０】
図３に示すように、本実施形態では、ファン清掃装置４０は、ブラシ４１と、保持部４４と、シャフト４５と、モータ３４（図２参照）と、を有している。ブラシ４１のブラシベース４３と保持部４４の一方は、他方を送風ファン３８の長手方向に摺動可能に収容する溝状の収容部を有している。ここでは、保持部４４が溝状の収容部４４ａを有しているものとして説明する。また、保持部４４とシャフト４５の一方は、他方を送風ファン３８の長手方向に摺動可能に収容する溝状の収容部を有している。ここでは、シャフト４５が溝状の収容部４５ａを有しているものとして説明する。
【００２１】
ブラシ４１は、送風ファン３８に当接して清掃する部材（清掃部）である。
保持部４４は、ブラシ４１を保持する部材である。
シャフト４５は、保持部４４とともにブラシ４１（清掃部）を保持する部材である。
モータ３４は、シャフト４５を軸周り方向に回転駆動する駆動手段である。
【００２２】
なお、ブラシ４１とシャフト４５とは別体になっている。ブラシ４１は、送風ファン３８の長手方向に所定距離だけ移動自在にシャフト４５に取り付けられている。ブラシ４１は、直接又は他の部材（ここでは、後記する保持部４４）を介して、シャフト４５に取り付けられている。ここでは、ブラシ４１は、他の部材である保持部４４を介して、シャフト４５に取り付けられているものとして説明する。ブラシ４１は、保持部４４に取り付けられることにより、曲げることが可能な適度な弾性を確保しつつ、シャフト４５への取り付けに適した剛性を得ることができる。そのため、ブラシ４１は、シャフト４５に対する取り付けの容易化を図ることができる。ただし、ファン清掃装置４０は、保持部４４を削除した構成にすることができる。この構成の場合に、ブラシ４１は、直接、シャフト４５に対して、取り付け及び取り外しが行われる。なお、「弾性」とは、物体に外から力を加えれば変形し、その力を取り除けば元の形に戻ろうとする性質を意味している。また、「剛性」とは、物体に外力を加えて変形しようとするとき、物体がその変形に抵抗する性質を意味している。
【００２３】
ブラシ４１と保持部４４とシャフト４５は、それぞれ、長尺な部材となっている。以下、ブラシ４１と保持部４４とシャフト４５を総称して「ブラシ４１等」と称する。ブラシ４１等は、熱交換器３１のフィン３２と送風ファン３８との間に、軸周りに回転可能に配置されている。ブラシ４１等は、送風ファン３８の長手方向の全域をカバーするように、送風ファン３８の長手方向長さよりも若干長くなっている。ブラシ４１等は、両端部が熱交換器３１の両端部に配置された２つのサイドプレート３３（図１２参照）を貫通するように配置される。
【００２４】
ブラシ４１等の両端部は、封止部材によって封止されている。封止部材は、例えば、モータ３４（又はモータ３４によって駆動されるギヤやそれに連結されたアダプタ３５等の部材）や、ブラシ４１等の端部を回転自在に保持する取付部材３６（図１２参照）等によって構成される。
【００２５】
ブラシ４１は、複数の繊維部４２と、ブラシベース４３と、を有している。繊維部４２は、送風ファン３８に当接させる当接部である。ブラシベース４３は、各繊維部４２を保持する基部である。
【００２６】
図３に示すように、本実施形態では、ブラシベース４３（基部）は、側面視で矩形状を呈しており、上面に複数の繊維部４２（当接部）が植毛されている。ブラシベース４３は、保持部４４に形成された収容部４４ａに収容される。
【００２７】
図示例では、保持部４４は、側面視で、矩形状部位の下に逆Ｔ字状部位を接合した形状になっている。保持部４４は、溝状の収容部４４ａと、レール部４４ｂと、を有している。
収容部４４ａは、ブラシベース４３を送風ファン３８の長手方向（矢印Ａ１２参照）に摺動可能に収容する部位である。収容部４４ａは、保持部４４の矩形状部位の内部を送風ファン３８の長手方向に貫通するように形成されている。収容部４４ａは、側面視で矩形状を呈しており、かつ、繊維部４２を送風ファン３８の長手方向に移動させることができるように、その上方が繊維部４２の太さよりも若干広く開口している。
レール部４４ｂは、シャフト４５に形成された収容部４５ａに収容される部位である。レール部４４ｂは、側面視で逆Ｔ字状を呈している。レール部４４ｂは、保持部４４の長手方向の全域に亘って形成されている。
【００２８】
シャフト４５は、側面視で丸角の矩形状を呈している。シャフト４５は、溝状の収容部４５ａを有している。図示例では、シャフト４５は、２つの収容部４５ａを有している。
【００２９】
収容部４５ａは、レール部４４ｂを送風ファン３８の長手方向（矢印Ａ１１参照）に摺動可能に収容する部位である。収容部４５ａは、シャフト４５の内部を送風ファン３８の長手方向に貫通するように形成されている。収容部４５ａは、レール部４４ｂを挿入して摺動させることができるように、レール部４４ｂと同様の側面視形状でかつレール部４４ｂよりも若干大きなサイズで形成されている。
【００３０】
係る構成において、保持部４４は、レール部４４ｂを収容部４５ａに挿入して摺動することでシャフト４５に容易に取り付けることができる。また、保持部４４は、収容部４５ａからレール部４４ｂを引き出すことでシャフト４５から取り外すことができる。また、ブラシ４１は、ブラシベース４３を収容部４４ａに挿入して摺動することで保持部４４に容易に取り付けることができる。また、ブラシ４１は、収容部４４ａからブラシベース４３を引き出すことで保持部４４から取り外すことができる。
【００３１】
ブラシベース４３及び保持部４４は、例えば、樹脂で構成されている。シャフト４５は、例えば、金属又は樹脂で構成されている。
【００３２】
ブラシ４１のブラシベース４３及び保持部４４は、弾性を有している。そのため、図４に示すように、ブラシ４１及び保持部４４は、曲げた状態で、シャフト４５に対して、取り付け及び取り外しが可能である（矢印Ａ１１ａ参照）。
【００３３】
ブラシベース４３の弾性力は、好ましくは、シャフト４５の弾性力よりも大きいとよい。つまり、ブラシベース４３の剛性は、好ましくは、シャフト４５の剛性よりも小さいとよい。また、ブラシベース４３の弾性力は、保持部４４の弾性力よりも大きいとよい。つまり、ブラシベース４３の剛性は、好ましくは、保持部４４の剛性よりも小さいとよい。これにより、ファン清掃装置４０は、ブラシ４１及び保持部４４に曲げることが可能な適度な弾性を確保しつつ、シャフト４５へのブラシ４１及び保持部４４の取り付け（挿入）に適した剛性を得ることができる。そのため、ファン清掃装置４０は、シャフト４５に対するブラシ４１及び保持部４４の取り付けの容易化を図ることができる。なお、「弾性力」とは、弾性体が外力によって変形するとき、弾性に基づいて生ずる力を意味している。
【００３４】
なお、保持部４４は、好ましくは、シャフト４５に取り付けられる際にシャフト４５と保持部４４との間で発生する摩擦力では変形しない程度の剛性を有しているとよい。
【００３５】
図５に示すように、ブラシ４１の繊維部４２のピッチＰ４２は、熱交換器３１に設けられているフィン３２のピッチＰ３２よりも小さい。図５は、ファン清掃装置４０のブラシ４１（清掃部）の繊維部４２と熱交換器３１のフィン３２との関係を示す図である。
【００３６】
ファン清掃装置４０は、ブラシ４１（清掃部）の繊維部４２のピッチＰ４２がフィン３２のピッチＰ３２よりも小さいため、密集した状態で送風ファン３８に当接することができ、送風ファン３８を効率よく清掃することができる。
【００３７】
なお、ブラシ４１は、繊維部４２が撓んだ場合であっても、繊維部４２を送風ファン３８に当接させて清掃することができるように、比較的長い繊維部４２を有している。その繊維部４２の長さは、例えば、以下のようなフィルタ清掃装置６０のブラシ６１の繊維部６２よりも長い（図６参照）。
【００３８】
図６は、ファン清掃装置４０のブラシ４１とフィルタ清掃装置６０のブラシ６１の対比図である。フィルタ清掃装置６０は、例えば、熱交換器３１の周囲に設けられたフィルタ（図示せず）を清掃するための装置である。フィルタ清掃装置６０は、ファン清掃装置４０と同様に、ブラシ６１（図６参照）を用いてフィルタ（図示せず）を清掃する。
【００３９】
図６に示すように、ブラシ６１は、ブラシ４１と同様に、複数の繊維部６２と、ブラシベース６３と、を有している。繊維部６２は、図示せぬフィルタに当接させる当接部である。ブラシベース６３は、各繊維部６２を保持する基部である。ブラシ６１は、ブラシ４１と同様に、ブラシベース６３に複数の繊維部６２が植毛された構成になっている。そして、図６に対比して示すように、ブラシ４１の繊維部４２の長さｔ４２は、ブラシ６１の繊維部６２の長さｔ６２よりも長い。繊維部４２の長さｔ４２は、例えば、１０〜３０ｍｍ程度である。なお、ブラシ４１の保持部４４によって保持されている部分の長さは、数ｍｍ程度である。
【００４０】
ファン清掃装置４０は、ブラシ４１（清掃部）の繊維部４２の長さｔ４２がブラシ６１の繊維部６２の長さｔ６２よりも長いため、繊維部４２が撓んだ場合であっても、繊維部４２を送風ファン３８に当接させて清掃することができる。
【００４１】
図７に示すように、シャフト４５は、複数（図示例では、２つ）のブラシ４１の取り付けが可能な構造になっている。図７は、シャフト４５へのブラシ４１（清掃部）の取り付け例を示す斜視図である。ファン清掃装置４０は、シャフト４５を回転させて複数のブラシ４１を交互に使用することで、送風ファン３８の累計清掃時間を長期化することができる。つまり、ファン清掃装置４０は、ブラシ４１を比較的長い時間交換することなく、送風ファン３８を連続して清掃することができる。
【００４２】
＜清掃部の取り付け例＞
空気調和機１０の室内機１１は、室内の比較的高い場所に設置されている。そのため、例えば、ブラシ４１（清掃部）の交換作業を行う場合に、作業者は高い場所まで手を上げて交換作業を行う必要がある。したがって、ブラシ４１の交換作業は、作業し難く、また、作業者に負担を強いるものになる。
【００４３】
そこで、ブラシ４１（清掃部）の交換作業を行う場合は、例えば、図８及び図９に示す取付治具５９を用いるとよい。図８及び図９は、ブラシ４１（清掃部）の取り付けに好適な取付治具５９の説明図である。図８は、取付治具５９の使用例を示している。図９は、取付治具５９の構成を示している。
【００４４】
図８は、筐体２１から化粧枠２２の左側部分を取り外して、ブラシ４１及び保持部４４（以下、単に「ブラシ４１」と称する）をシャフト４５に取り付ける際の例を示している。シャフト４５は、室内機１１の内部に配置されている。
【００４５】
図８に示すように、ファン清掃装置４０は、例えば、取付治具５９をシャフト４５に取り付け、取付治具５９の中にブラシ４１を通すことでブラシ４１をシャフト４５に取り付けることができる。
【００４６】
取付治具５９は、ブラシ４１をシャフト４５に取り付けるためのチューブである。取付治具５９は、ブラシ４１よりも短い長さで、かつ、曲げることが可能な構造になっている。
【００４７】
図９に示すように、取付治具５９の内部には、一方の端面取付治具５９ａから他方の端面取付治具５９ｂに亘って貫通する貫通孔ＯＰ４４が形成されている。また、取付治具５９の一方の端面取付治具５９ａには、シャフト４５の端部と嵌合する溝状の嵌合部ＯＰ４５が形成されている。
【００４８】
取付治具５９は、端面取付治具５９ａの嵌合部ＯＰ４５がシャフト４５の端部と嵌合することで室内機１１に取り付けられる。
【００４９】
ブラシ４１は、他方の端面取付治具５９ｂから貫通孔ＯＰ４４の中に挿入され、室内機１１の奥側（図面の右方向）に向かって送風ファン３８の長手方向に摺動する。これにより、ブラシ４１は、他方の端面取付治具５９ｂから一方の端面取付治具５９ａに通される。そして、ブラシ４１の先端部が一方の端面取付治具５９ａを通過する際に、保持部４４のレール部４４ｂがシャフト４５の収容部４５ａに挿入される。ブラシ４１は、その状態で室内機１１の奥側（図面の右方向）に向かってさらに送風ファン３８の長手方向に摺動することで、シャフト４５に取り付けられる。この後、取り外されていた化粧枠２２の左側部分が筐体２１に取り付けられる。これにより、ブラシ４１の取り付け作業が完了する。
【００５０】
＜空気調和機の主な特徴＞
（１）空気調和機１０のファン清掃装置４０は、ブラシ４１（清掃部）を摺動させるだけで、ブラシ４１の取り付け及び取り外しを容易に行うことができる。そのため、ファン清掃装置４０は、ブラシ４１の交換を容易に行うことができる。また、ファン清掃装置４０は、将来、特殊な付加機能が与えられた清掃部等が開発された場合に、その清掃部等に容易に交換することができる。
【００５１】
なお、ファン清掃装置４０の清掃部は、ブラシ４１だけでなく、スポンジやゴム等の弾性材で構成することができる。
【００５２】
（２）ブラシ４１等は、シャフト４５の収容部４５ａに挿入し易いように腰を保つ強度が設定されている。これにより、ブラシ４１等は、シャフト４５の横から引き抜いたり挿入したりして容易に交換することができる。
【００５３】
（３）ファン清掃装置４０は、ブラシ４１（清掃部）のブラシベース４３（基部）及び保持部４４を曲げてシャフト４５に取り付け（挿入）及び取り外す（引き出す）ことができる。つまり、ファン清掃装置４０は、ブラシベース４３及び保持部４４を曲げて交換作業を行うことができる。このようなファン清掃装置４０は、狭いスペースでのブラシ４１等の交換作業（例えば、部屋の端付近に設置された空気調和機１０でのブラシ４１等の交換作業）を容易に行うことができる。
【００５４】
なお、ブラシベース４３（基部）は、好ましくは、シャフト４５よりも曲げ易くなっているとよい。また、ブラシベース４３（基部）は、好ましくは、保持部４４よりも曲げ易くなっているとよい。また、保持部４４は、好ましくは、シャフト４５に取り付けられる際にシャフト４５と保持部４４との間で発生する摩擦力では変形しない程度の剛性を有しているとよい。
【００５５】
（４）図１２に示すように、ブラシ４１等の両端部は、例えば、モータ３４やアダプタ３５、取付部材３６等の封止部材によって封止されている。これらの封止部材は、任意に取り外すことができる。ファン清掃装置４０は、これらの封止部材を取り外すことで、ブラシ４１や保持部４４を交換することができる。なお、モータ３４を封止部材として利用する場合は、その分だけ部品点数を削減することができる。
【００５６】
以上の通り、本実施形態１に係る空気調和機１０によれば、ブラシ４１を摺動させるだけで、ファン清掃装置４０のブラシ４１の取り付け及び取り外しを容易に行うことができるため、ブラシ４１の交換を容易に行うことができる。
【００５７】
［実施形態２］
実施形態１に係るファン清掃装置４０のブラシ４１（図３及び図５参照）は、ブラシベース４３の上面の全域に繊維部４２が植毛されている。このようなファン清掃装置４０は、送風ファン３８の清掃時に、ブラシ４１を送風ファン３８に当てるので、ブラシ４１等を回転させる際に、ブラシ４１に負荷がかかったり、ブラシ４１が汚れ易くなったりする。
【００５８】
そこで、本実施形態２では、ブラシ４１等を回転させる際に、ブラシ４１にかかる負荷を軽減するとともに、ブラシ４１が汚れ難くしたファン清掃装置４０Ａを提供する。
【００５９】
以下、図１０乃至図１２を参照して、本実施形態２に係るファン清掃装置４０Ａのブラシ４１Ａ（清掃部）の構成について説明する。図１０及び図１１は、それぞれ、ファン清掃装置４０Ａのブラシ４１Ａの構成を示す正面図である。図１２は、ファン清掃装置４０Ａにおけるブラシ４１Ａの両端部の構成を示す正面図である。
【００６０】
図１０は、後記するブラシ４１Ａが保持部４４から引き出されるとともに、保持部４４がシャフト４５から引き出された状態を示している。図１１は、後記するブラシ４１Ａが保持部４４に収容されるとともに、保持部４４がシャフト４５に収容された状態を示している。
【００６１】
図１０及び図１１に示すように、本実施形態に係るファン清掃装置４０Ａは、実施形態１のファン清掃装置４０（図３及び図５参照）と比較すると、ブラシ４１の代わりに、ブラシ４１Ａを備える点で相違する。
【００６２】
ブラシ４１Ａは、ブラシベース４３に、繊維部４２が植毛された植毛領域４３ａと、繊維部４２が植毛されていない非植毛領域４３ｂと、を有している。植毛領域４３ａは、ブラシベース４３の一方の端部又は両端部以外の部分に形成されている。非植毛領域４３ｂは、ブラシベース４３の一方の端部又は両端部に形成されている。
【００６３】
図１１に示すように、本実施形態に係るファン清掃装置４０Ａは、人手でブラシベース４３を容易に把持することができるように、ブラシベース４３に取っ手部４３ｃを有している。
【００６４】
取っ手部４３ｃは、ブラシベース４３の端部に形成された非植毛領域４３ｂの中でもさらに端部となる部位である。図１１に示すように、ブラシ４１Ａ等がシャフト４５に取り付けられた状態において、取っ手部４３ｃは、保持部４４の端部から外部に突出している。
【００６５】
ファン清掃装置４０Ａは、その取っ手部４３ｃを人手で把持することで、ブラシ４１Ａを保持部４４から容易に取り外すことができる。このとき、作業者は、取っ手部４３ｃを操作してブラシ４１Ａ等の向きを手動で変えることにより、送風ファン３８や熱交換器３１が当たらない位置でブラシ４１Ａ等を交換することができる。
【００６６】
図１２に示すように、室内機１１の内部において、ブラシ４１Ａ等は、その両端部が熱交換器３１の両端部に配置された２つのサイドプレート３３を貫通するように、配置される。ブラシ４１Ａ等の一方の端部は、モータ３４（又はモータ３４によって駆動されるギヤやそれに連結されたアダプタ３５等の部材）によって封止されている。また、ブラシ４１Ａ等の他方の端部は、取付部材３６等によって封止されている。モータ３４（又はモータ３４によって駆動されるギヤやそれに連結されたアダプタ３５等の部材）と取付部材３６は、ブラシ４１Ａ等を回転自在に保持している。
【００６７】
なお、図示例では、モータ３４は、サイドプレート３３の外側に配置され、かつ、その回転軸３４ａがギヤやそれに連結されたアダプタ３５等の部材を介してブラシ４１Ａ等に連結された構成になっている。
【００６８】
ファン清掃装置４０Ａは、送風ファン３８の清掃時にブラシ４１Ａ等を回転させる際に、ブラシ４１Ａの両端部で繊維部４２が熱交換器３１のサイドプレート３３に当たらないように、繊維部４２に非植毛領域４３を設けている。そのため、ファン清掃装置４０Ａは、ブラシ４１Ａ等を回転させる際に、ブラシ４１Ａにかかる負荷を軽減することができる。また、ファン清掃装置４０Ａは、ブラシ４１Ａを汚れ難くすることができる。
【００６９】
また、ファン清掃装置４０Ａは、ブラシベース４３に取っ手部４３ｃが設けられているため、熱交換器３１の横の空間からブラシ４１を容易に引き抜くことができる。
【００７０】
以上の通り、本実施形態２によれば、実施形態１と同様に、ブラシ４１Ａを摺動させるだけで、ファン清掃装置４０Ａのブラシ４１Ａの取り付け及び取り外しを容易に行うことができるため、ブラシ４１Ａの交換を容易に行うことができる。
しかも、本実施形態２によれば、実施形態１に比べて、送風ファン３８の清掃時にブラシ４１Ａにかかる負荷を軽減することができる。また、ブラシ４１Ａを汚れ難くすることができる。
【００７１】
なお、本発明は、前記した実施形態に限定されるものではなく、本発明の要旨を逸脱しない範囲で種々の変更や変形を行うことができる。
【００７２】
例えば、前記した実施形態は、本発明の要旨を分かり易く説明するために詳細に説明したものである。そのため、本発明は、必ずしも説明した全ての構成要素を備えるものに限定されるものではない。また、本発明は、ある構成要素に他の構成要素を追加したり、一部の構成要素を他の構成要素に変更したりすることができる。また、本発明は、一部の構成要素を削除することもできる。
【００７３】
また、例えば、前記した実施形態では、ファン清掃装置４０の清掃部がブラシ４１であるものとして説明した。しかしながら、清掃部は、スポンジやゴム等の弾性部材で構成することができる。
【００７４】
また、例えば、ブラシ４１は、図１３に示す第１変形例のように変形することができる。また、例えば、保持部４４及びシャフト４５は、図１４に示す第２変形例のように変形することができる。
【００７５】
＜第１変形例＞
図１３は、第１変形例に係るファン清掃装置４０Ｂのブラシ４１Ｂ（清掃部）の構成を示す斜視図である。図１３に示すように、第１変形例に係るファン清掃装置４０Ｂは、実施形態２のファン清掃装置４０Ａ（図１１参照）と比較すると、ブラシ４１Ａの代わりに、ブラシ４１Ｂを備える点で相違する。
【００７６】
第１変形例のブラシ４１Ｂは、実施形態２のブラシ４１Ａ（図１１参照）と比較すると、ブラシベース４３と保持部４４の代わりに、ブラシベース４３ｚを有する点で相違する。第１変形例のブラシベース４３ｚは、実施形態２のブラシベース４３（図１１参照）と保持部４４（図１１参照）とを一体化した部材である。図示例では、第１変形例のブラシベース４３ｚは、側面視で、矩形状部位の下に逆Ｔ字状部位を接合した形状になっており、その上面に繊維部４２が植毛されている。
【００７７】
実施形態２のファン清掃装置４０Ａ（図１１参照）は、ブラシ４１Ａ（清掃部）のブラシベース４３と保持部４４とシャフト４５とが別体の構成になっている。これに対し、第１変形例に係るファン清掃装置４０Ｂは、ブラシ４１Ｂ（清掃部）のブラシベース４３ｚが実施形態２のブラシベース４３（図１１参照）と保持部４４（図１１参照）とを一体化した部材となっている。そして、第１変形例に係るファン清掃装置４０Ｂは、そのブラシベース４３ｚとシャフト４５とが別体の構成になっている。
【００７８】
このような第１変形例に係るファン清掃装置４０Ｂは、実施形態１や実施形態２と同様に、ブラシ４１Ｂを摺動させるだけで、ブラシ４１Ｂの取り付け及び取り外しを容易に行うことができるため、ブラシ４１Ｂの交換を容易に行うことができる。
【００７９】
＜第２変形例＞
図１４は、第２変形例に係るファン清掃装置４０Ｃの保持部１４４及びシャフト１４５の構成を示す斜視図である。図１４に示すように、第２変形例に係るファン清掃装置４０Ｃは、実施形態２のファン清掃装置４０Ａ（図１１参照）と比較すると、保持部４４（図１１参照）とシャフト４５（図１１参照）の代わりに、保持部１４４とシャフト１４５を備える点で相違する。
【００８０】
第２変形例の保持部１４４とシャフト１４５は、実施形態２の保持部４４（図１１参照）とシャフト４５（図１１参照）と比較すると、収容構造が逆の関係になっている。つまり、第２変形例の保持部１４４は、溝状の収容部１４４ａを有するとともに、シャフト１４５は、レール部１４５ａを有している。そして、第２変形例の保持部１４４は、シャフト１４５を摺動自在に収容する構造になっている。
【００８１】
このような第２変形例に係るファン清掃装置４０Ｃは、実施形態１や実施形態２と同様に、ブラシ４１Ａを摺動させるだけで、ブラシ４１Ａの取り付け及び取り外しを容易に行うことができるため、ブラシ４１Ａの交換を容易に行うことができる。また、第２変形例に係るファン清掃装置４０Ｃは、保持部１４４を摺動させるだけで、保持部１４４の取り付け及び取り外しを容易に行うことができるため、保持部１４４の交換を容易に行うことができる。
【符号の説明】
【００８２】
１０    空気調和機
１１    室内機
１２    室外機
１３    接続配管
２１    筐体
２２    化粧枠（外装部材）
２３    前面パネル
２４    空気吸込口
２５    空気吹出口
２６    上下風向板
３１    熱交換器
３２    フィン
３３    サイドプレート
３４    モータ（駆動手段、封止部材）
３４ａ    回転軸
３５    アダプタ（封止部材）
３６    取付部材（封止部材）
３８    送風ファン
４０，４０Ａ，４０Ｂ，４０Ｃ    ファン清掃装置
４１，４１Ａ，４１Ｂ，６１    ブラシ（清掃部）
４２，６２    繊維部（当接部）
４３，４３ｚ，６３    ブラシベース（基部）
４３ａ    植毛領域
４３ｂ    非植毛領域
４３ｃ    取っ手部
４４，１４４    保持部（他の部材）
４４ａ，４５ａ，１４４ａ    収容部
４４ｂ，１４５ａ    レール部
４５，１４５    シャフト
５９    取付治具
６０    フィルタ清掃装置
【図１】
2019220487.tif 000003
【図２】
2019220487.tif 000004
【図３】
2019220487.tif 000005
【図４】
2019220487.tif 000006
【図５】
2019220487.tif 000007
【図６】
2019220487.tif 000008
【図７】
2019220487.tif 000009
【図８】
2019220487.tif 000010
【図９】
2019220487.tif 000011
【図１０】
2019220487.tif 000012
【図１１】
2019220487.tif 000013
【図１２】
2019220487.tif 000014
【図１３】
2019220487.tif 000015
【図１４】
2019220487.tif 000016
【手続補正書】
【提出日】平成30年9月19日(2018.9.19)
【手続補正１】
【補正対象書類名】特許請求の範囲
【補正対象項目名】全文
【補正方法】変更
【補正の内容】
【特許請求の範囲】
【請求項１】
熱交換器と、
送風ファンと、
前記送風ファンを清掃するファン清掃装置と、を備え、
前記ファン清掃装置は、
シャフトと、
前記シャフトを軸周り方向に回転駆動するモータと、
前記シャフトに取り付けられた清掃部と、を有し、
前記清掃部と前記シャフトとは別体であり、
前記清掃部は、前記送風ファンの長手方向に移動自在に前記シャフトに取り付けられている
ことを特徴とする空気調和機。
【請求項２】
（削除）
【請求項３】
請求項１に記載の空気調和機において、
前記清掃部は、
繊維部と、
前記繊維部を保持する基部と、を有し、
前記基部の弾性力は、前記シャフトの弾性力よりも大きい
ことを特徴とする空気調和機。
【請求項４】
請求項１に記載の空気調和機において、
前記清掃部は、
繊維部と、
前記繊維部を保持する基部と、を有し、
前記基部の剛性は、前記シャフトの剛性よりも小さい
ことを特徴とする空気調和機。
【請求項５】
請求項１に記載の空気調和機において、
前記清掃部は、
繊維部と、
前記繊維部を保持する基部と、を有し、
前記ファン清掃装置は、前記清掃部の前記基部を保持する保持部を有し、
前記清掃部、前記シャフト及び前記保持部は別体であり、
前記清掃部は、前記保持部を介して前記シャフトに取り付けられている
ことを特徴とする空気調和機。
【請求項６】
請求項５に記載の空気調和機において、
前記基部の弾性力は、前記保持部の弾性力よりも大きい
ことを特徴とする空気調和機。
【請求項７】
請求項５に記載の空気調和機において、
前記基部の剛性は、前記保持部の剛性よりも小さい
ことを特徴とする空気調和機。
【請求項８】
請求項５に記載の空気調和機において、
前記保持部は、前記シャフトに取り付けられる際に前記シャフトと前記保持部との間で発生する摩擦力では変形しない剛性を有している
ことを特徴とする空気調和機。
【請求項９】
熱交換器と、
送風ファンと、
前記送風ファンを清掃するファン清掃装置と、を備え、
前記ファン清掃装置は、
シャフトと、
前記シャフトを軸周り方向に回転駆動するモータと、
前記シャフトに取り付けられた清掃部と、を有し、
前記清掃部と前記シャフトとは別体であり、
前記清掃部と前記シャフトとのいずれか一方は、他方を前記送風ファンの長手方向に摺動可能に収容する溝状の収容部を有する
ことを特徴とする空気調和機。
【請求項１０】
請求項５に記載の空気調和機において、
前記保持部と前記シャフトとのいずれか一方は、他方を前記送風ファンの長手方向に摺動可能に収容する溝状の収容部を有する
ことを特徴とする空気調和機。
【請求項１１】
請求項５に記載の空気調和機において、
前記清掃部と前記保持部とのいずれか一方は、他方を前記送風ファンの長手方向に摺動可能に収容する溝状の収容部を有する
ことを特徴とする空気調和機。
【請求項１２】
熱交換器と、
送風ファンと、
前記送風ファンを清掃するファン清掃装置と、を備え、
前記ファン清掃装置は、
シャフトと、
前記シャフトを軸周り方向に回転駆動するモータと、
前記シャフトに取り付けられた清掃部と、を有し、
前記清掃部と前記シャフトとは別体であり、
前記清掃部が取り付けられた前記シャフトの両端部は、封止部材で封止されている
ことを特徴とする空気調和機。
【請求項１３】
請求項１２に記載の空気調和機において、
前記シャフトの一方の端部に配置された前記封止部材は、前記モータ又は前記モータによって駆動される部材で構成されている
ことを特徴とする空気調和機。
【請求項１４】
請求項１に記載の空気調和機において、
前記清掃部は、一方の端部又は両端部に、前記送風ファンに当接させる繊維部が配置されていない非植毛領域を有する
ことを特徴とする空気調和機。
【請求項１５】
請求項１に記載の空気調和機において、
前記ファン清掃装置の前記清掃部は繊維部を有し、
前記繊維部のピッチは、前記熱交換器に設けられているフィンのピッチよりも小さい
ことを特徴とする空気調和機。
【請求項１６】
熱交換器と、
送風ファンと、
前記送風ファンを清掃するファン清掃装置と、を備え、
前記ファン清掃装置は、
シャフトと、
前記シャフトを軸周り方向に回転駆動するモータと、
前記シャフトに取り付けられた清掃部と、を有し、
前記清掃部と前記シャフトとは別体であり、
前記ファン清掃装置の前記清掃部は繊維部を有し、
前記繊維部の長さは、フィルタを清掃するフィルタ清掃装置に用いられている繊維部よりも長い
ことを特徴とする空気調和機。
【請求項１７】
請求項１に記載の空気調和機において、
前記シャフトは、複数の前記清掃部の取り付けが可能である
ことを特徴とする空気調和機。
【請求項１８】
熱交換器と、
送風ファンと、
前記送風ファンを清掃するファン清掃装置と、を備え、
前記ファン清掃装置は、
シャフトと、
前記シャフトを軸周り方向に回転駆動するモータと、
前記シャフトに取り付けられた清掃部と、を有し、
前記清掃部と前記シャフトとは別体であり、
前記清掃部は、前記清掃部を前記送風ファンの長手方向に摺動可能に保持する取付治具を介して前記シャフトに導かれて取り付けられる
ことを特徴とする空気調和機。
【国際調査報告】
2019220487.tif 000017
2019220487.tif 000018
2019220487.tif 000019
2019220487.tif 000020